(57)【要約】【課題】下階の建物ユニットと上階の建物ユニットの間に存在する段差を矯正することのできるユニット建物の段差矯正治具と、この段差矯正治具を使用してユニット建物の段差を矯正する段差矯正方法を提供する。【解決手段】裏面が平滑なプレート８１と、このプレート８１に設けられた通孔８２と、このプレート８１の表面に設けられた突起８３とからなる段差矯正治具８である。【選択図】  図４
2004339834.tif 000002
【特許請求の範囲】
【請求項１】
裏面が平滑なプレートと、このプレートに設けられた通孔と、このプレートの表面に設けられた突起とからなり、前記通孔は、ビスのネジ部は通過するが、ビスの頭部が通過しない大きさであり、前記突起には、先端部に径の大きな係止部が設けられ、釘抜き具がこの係止部に係止可能になされていることを特徴とするユニット建物の段差矯正治具。
【請求項２】
下階の建物ユニットと上階の建物ユニットとの間に存在する段差を矯正するユニット建物の段差矯正方法であって、下階の建物ユニットと上階の建物ユニットのどちらか後退している側の建物ユニットの部材に、請求項１記載の段差矯正治具のプレートの裏面を当接させ、プレートに設けられている通孔から建物ユニットの部材にビスを螺入して段差矯正治具を取り付けた後に、表面に設けられている突起の係止部に釘抜き具を係止し、反対側の建物ユニットを支点にして釘抜き具を回動させて、段差矯正治具を引き出して建物ユニットを矯正することを特徴とする段差矯正方法。
【請求項３】
前記建物ユニットが、木製の枠に床面材を取り付けた床パネルと、この床パネルの周囲に立設された木製の枠に壁面材を取り付けた壁パネルとからなるものであり、後退している側の建物ユニットの部材が、建物ユニットの上側縁または下側縁に存在する床パネルまたは壁パネルの枠であることを特徴とする請求項２記載の段差矯正方法。
【発明の詳細な説明】
【０００１】
【発明の属する技術分野】
本発明は、下階の建物ユニットと上階の建物ユニットの間に存在する段差を矯正するユニット建物の段差矯正治具と、この段差矯正治具を使用して建物ユニットの段差を矯正する段差矯正方法に関する。
【０００２】
【従来の技術】
ユニット建物は、運搬可能な一定の大きさの箱形の、且つ、内部、外部の仕上げられた建物ユニットを、予め、工場で製造し、この建物ユニットの複数個を施工現場に運搬し、施工現場で組み立てて建物となすもので、現場施工期間が短く、且つ、寸法精度の良い標準化された建物となる特徴があることから、多く建てられている。
このユニット建物を構成する建物ユニットとしては、種々な構造のもが知られている。
【０００３】
例えば、特許文献１には、矩形状の四隅に立設した４本の柱と、この４本の柱の下端部を矩形状の辺に沿って連結した４本の床梁と、この４本の梁の上端部を矩形状の辺に沿って連結した４本の天井梁からなる鋼製の骨格を有し、この骨格の相対する床梁に複数本の床小梁を差し渡して取り付け、この床小梁の上に複数本の床根太を架け渡して取り付け、この床根太の上に床面材を取り付けて床を形成し、骨格の相対する天井梁に複数本の天井野縁を取り付け、この天井野縁の下面に天井面材を取り付けて天井を形成した鉄骨系の建物ユニットが記載されている。
【０００４】
なお、外壁を設ける位置には、天井梁と床梁とに間柱を差し渡して取り付け、この間柱の外側に外壁パネルを取り付け、内側に内壁パネルを取り付け、この間に断熱材を取り付けて外壁を形成する。
また、間仕切り壁等を床面材と天井面材との間に立設させて部屋を設ける。
【０００５】
特許文献２には、木造の枠に床面材を取り付けた床パネルの周囲に、木造の枠に壁面材を取り付けた壁パネルを立設した木質系の建物ユニットが記載されている。
これ等の建物ユニットを据え付けるときには、建物ユニットを正確に据え付ける必要があるが、据え付けるときの誤差等で若干ずれた位置に、建物ユニットが据え付けられることがある。
【０００６】
この際、上記特許文献１に記載されているような鉄骨系の建物ユニットでは、略正確に据え付けることができ、誤差が小さいが、特許文献２に記載されているような木質製の建物ユニットでは、この誤差が比較的大きい。
このようにずれた位置に据え付けられると、一方の建物ユニットから他方の建物ユニットに跨がる部屋の壁等に段差ができたり、その他種々な問題が生ずる。
【０００７】
特に、外側に面した建物ユニットがずれて据え付けられると、外壁面に段差が生じて、外観が悪くなるという問題が生ずる。
この据え付けた建物ユニットの誤差を調整する段差矯正治具としては、特許文献３や特許文献４に記載されている段差矯正治具が知られている。
【０００８】
この特許文献３に記載されている段差矯正治具は、棒状体の両側に逆方向の雄ネジを設け、この両端の雄ネジにそれぞれ係止用脚部を螺合したものであり、この両側の係止用脚部をそれぞれ隣接する２個の建物ユニットの開口部等の係止できる部材に係止し、棒状体を回転させて隣接する建物ユニットを左右に移動させて隣接する建物ユニットの間隔を調整して段差を矯正するものである。
【０００９】
また、特許文献４に記載されている段差矯正治具は、両側の係止用脚部の長さを一方を長く、他方を短くしたものであって、一方の建物ユニットの天井面が傾斜している建物ユニットに長い係止用脚部を係止し、天井面が水平な他方の建物ユニットに短い係止用脚部を係止して、建物ユニット間の距離を調整して段差を矯正するものである。
【００１０】
【特許文献１】
特公昭６２−６２２２４公報
【特許文献２】
特公昭５８−３０９７８公報
【特許文献３】
特公昭５５−３２１３５公報
【特許文献４】
特開平５−１１３０３９号公報
【００１１】
【発明が解決しようとする課題】
しかし、建物ユニットを据え付けるときに生ずる段差は水平方向だけでなく、垂直方向の段差、即ち、下階の建物ユッニットと上階の建物ユニットの間にも存在するが、この特許文献３や特許文献４に記載されている段差矯正治具では、水平方向の段差を矯正することができるが、下階の建物ユニットと上階の建物ユニットの間に存在する上下方向の段差を矯正することができない。
【００１２】
そして、この下階の建物ユニットと上階の建物ユニットの間に存在する段差を矯正する適当な段差矯正治具や段差矯正方法は知られてない。
そこで、この発明の目的は、下階の建物ユニットと上階の建物ユニットの間に存在する段差を矯正することできるユニット建物の段差矯正治具と、この段差矯正治具を使用してユニット建物の段差を矯正する段差矯正方法を提供することである。
【００１３】
【課題を解決するための手段】
本発明は、上記課題を解決するためになされたものであって、請求項１に記載の発明は、裏面が平滑なプレートと、このプレートに設けられた通孔と、このプレートの表面に設けられた突起とからなり、前記通孔は、ビスのネジ部は通過するが、ビスの頭部が通過しない大きさであり、前記突起には、先端部に径の大きな係止部が設けられ、釘抜き具がこの係止部に係止可能になされているユニット建物の段差矯正治具を特徴とするものである。
【００１４】
この請求項１記載の発明における釘抜き具とは、釘の頭のように、先端が大きな物に引っ掛けて、梃子の原理を利用して、この釘等を引き抜くことができるものであって、バールが最も一般的に使用されている釘抜き具である。
【００１５】
請求項２記載の発明は、下階の建物ユニットと上階の建物ユニットとの間に存在する段差を矯正するユニット建物の段差矯正方法であって、下階の建物ユニットと上階の建物ユニットのどちらか後退している側の建物ユニットの部材に、請求項１記載の段差矯正治具のプレートの裏面を当接させ、プレートに設けられている通孔から建物ユニットの部材にビスを螺入して段差矯正治具を取り付けた後に、表面に設けられている突起の係止部に釘抜き具を係止し、反対側の建物ユニットを支点にして釘抜き具を回動させて、段差矯正治具を引き出して建物ユニットを矯正する段差矯正方法を特徴とするものである。
【００１６】
この請求項２記載の発明における建物ユニットは、特許文献１記載のようにな鉄骨系の建物ユニットであってもよいし、特許文献２記載のような木質系の建物ユニットであってもよいが、木質系の建物ユニットが据え付ける際に誤差が発生し易いので、木質系の建物ユニットに適用することが多い。
【００１７】
また、建物ユニットの部材とは、段差矯正治具を取り付けて引き出すことのできる機械的強度の大きな部材をいう。例えば、特許文献１に記載されているようにな鉄骨系の建物ユニットの場合には、床梁や天井梁や柱等の骨格が好ましいし、特許文献２に記載されているような床パネルと壁パネルを組み立てた建物ユニットの場合には、床パネルの枠や壁パネルの枠が好ましい。
【００１８】
請求項３記載の発明は、請求項２記載の発明に係り、前記建物ユニットが、木製の枠に床面材を取り付けた床パネルと、この床パネルの周囲に立設された木製の枠に壁面材を取り付けた壁パネルとからなるものであり、後退している側の建物ユニットの部材が、建物ユニットの上側縁または下側縁に存在する床パネルまたは壁パネルの枠であるものである。
【００１９】
（作用）
請求項１記載の発明では、裏面が平滑なプレートと、このプレートに設けられた通孔と、このプレートの表面に設けられた突起とからなり、前記通孔は、ビスのネジ部は通過するが、ビスの頭部が通過しない大きさであり、前記突起には、先端部に径の大きな係止部が設けられ、釘抜き具がこの係止部に係止可能になされているユニット建物の段差矯正治具であるので、この段差矯正治具を、請求項２記載の発明のように使用することによりユニット建物の上下方向の段差を簡単に矯正することができる。
【００２０】
即ち、先ず、後退している側の建物ユニットの部材に、例えば、鉄骨系の建物ユニットの場合には、床梁または天井梁や柱に、又、木質系の場合には、床パネルまたは壁パネルの枠や柱に、ユニット建物の段差矯正治具のプレートの裏面を当接させ、プレートに設けられている通孔から建物ユニットの部材にビスを螺入してユニット建物の段差矯正治具を取り付ける。
【００２１】
この際、段差矯正治具を建物ユニット部材に取り付ける側は、屋外側でもよいし、屋内側でもよい。しかし、屋内側に取り付けると、段差を矯正した後に、この段差矯正治具を取り外すときには、この取り付けたときのビスの孔が、また、段差矯正治具をそのままに放置するときには、この段差矯正治具が、見えず好ましい。
このようにプレートに設けられている通孔から建物ユニットの部材にビスを螺入すると、段差矯正治具のプレートに設けられている通孔は、ビスのネジ部が通過するがビスの頭部が通過しない大きさであるので、ビスの頭部がプレートを表面側から押して、段差矯正治具が部材に強固に取り付けられる。
【００２２】
その後に、表面に設けられている突起の係止部にバール等の釘抜き具を係止し、反対側の建物ユニットを支点にして釘抜き具を回動させて、段差矯正治具を引き出す。
このように釘抜き具を使用すると、段差矯正治具が取り付けられている建物ユニットと、支点としている反対側の建物ユニットとの間に偶力が働き、相対的に、段差矯正治具と、この段差矯正治具が取り付けられている建物ユニットが共に前進し、反対側の建物ユニットが後退する。
しかし、下階の建物ユニットは基礎に固定されているので、結局、上階の建物ユニットが前進または後退して、段差が解消される。
【００２３】
請求項２記載の発明では、下階の建物ユニットと上階の建物ユニットとの間に存在する段差を矯正するユニット建物の段差矯正方法であって、下階の建物ユニットと上階の建物ユニットのどちらか後退している側の建物ユニットの部材に、請求項１記載の段差矯正治具のプレートの裏面を当接させ、プレートに設けられている通孔から建物ユニットの部材にビスを螺入して段差矯正治具を取り付けた後に、表面に設けられている突起の係止部に釘抜き具を係止し、反対側の建物ユニットを支点にして釘抜き具を回動させて、段差矯正治具を引き出して建物ユニットを矯正する段差矯正方法であるので、既に、請求項１記載の作用の項で説明したように、ユニット建物の上下方向の段差を簡単に矯正することができる。
【００２４】
請求項３記載の発明では、請求項２記載の発明に係り、前記建物ユニットが、木製の枠に床面材を取り付けた床パネルと、この床パネルの周囲に立設された木製の枠に壁面材を取り付けた壁パネルとからなるものであり、後退している側の建物ユニットの部材が、建物ユニットの上側縁または下側縁に存在する床パネルまたは壁パネルの枠であるので、段差矯正治具を取り付ける場所が木製の枠であり、建物ユニットに段差矯正治具を取り付け易く矯正し易い。
しかも、ずれた位置に据え付けられることの多い木質系の建物ユニットの上下方向の段差を容易に矯正することができ、極めて効果的である。
【００２５】
【発明の実施の形態】
以下、本発明の実施の形態を実施例で説明する。
図１〜図６は本発明の一実施例を示すもので、図１はユニット建物を示す斜視図、図２は１階の建物ユニットを示す一部切欠斜視図、図３は２階の建物ユニットを示す斜視図、図４は裏側から見た段差矯正治具を示す斜視図、図５はビスを示す正面図、図６（イ）は図１のＡ部分の床パネルに段差矯正治具を取り付けた状態の主要部を示す側面図、（ロ）はユニット建物を矯正している状態の主要部を示す側面図である。
【００２６】
図１〜図６において、Ｈはユニット建物であり、このユニット建物Ｈは、図１に示すように、基礎９９の上に９個の１階の建物ユニット１が据え付けられて１階が形成され、この１階の建物ユニット１の上に９個の２階の建物ユニット２が据え付けられて２階が形成され、この２階の建物ユニット２の上に屋根ユニット３が取り付けられたものである。
１階の建物ユニット１は、図２に示すように、矩形状の１階床パネル４と、この１階用床パネル４の上に立設された１階壁パネル５とからなる。
【００２７】
１階床パネル４は、矩形状に組み立てられた縦枠４１、横枠４２と、この相対する縦枠４１に差し渡され取り付けられた桟材４３とからなる骨格と、この骨格の上面に設けた床面材４４とからな。
１階壁パネル５は、上枠５１、下枠５２、両側の縦枠５３と、この上枠５１、下枠５２に差し渡された桟材５４とからなる骨格と、この骨格の片面又は両面に設けられた壁面材５５とからなる。
この１階壁パネル５の数や位置は部屋の間取り等によって異なる。
【００２８】
２階の建物ユニット２は、図３に示すように、矩形状の２階床パネル６と、この２階用床パネル６の上に立設された２階壁パネル７とからなる。
２階床パネル６は、矩形状に組み立てられた縦パネル６１、横パネル６２と、相対する縦パネル６１に差し渡され取り付けられた桟材６３とからなる骨格と、この骨格の上面に設けた床面材６４とからな。
縦パネル６１は、上枠６１１と、下枠６１２と、この上枠６１１と下枠６１２との間に設けられたスペーサー材６１３とからなる。
【００２９】
横パネル６２は、縦パネルと同様に、上枠６２１と、下枠６２２と、この上枠６２１と下枠６２２との間に設けられたスペーサー材６２３とからなる。
２階壁パネル７は、上枠７１、下枠７２、両側の縦枠７３と、この上枠７１、下枠７２に差し渡された桟材７４とからなる骨格と、この骨格の片面又は両面に設けられた壁面材７５とからなる。
【００３０】
この壁面材７５は、縦パネル６１または横パネル６２の大きさだけ大きく、下枠７２から下方に突出した状態に取り付けられている。そして、壁パネル７を床パネル６に取り付けたときに、床パネル６の側面を覆うようになっている。
８は段差矯正治具であり、この段差矯正治具８は、図４に示すように、プレート８１と、このプレートに設けられた通孔８２と、プレートの表面に設けられた突起８３とからなり、９はこの段差矯正治具を取り付けるときに使用するビスである。なお、このビス９は、図５に示すように、頭部９１とネジ部９２とからなる。
【００３１】
プレート８１は鋼製の板状体であり、裏面が平滑な面となっている。
通孔８２は、この段差矯正治具８を取り付ける際に使用するビス９のネジ部９２は通過するが、頭部９１は通過しない大きさであり、９５はバールの釘抜き具である。
突起８３は、根元８３１の径が小さく、先端部に径の大きな塊が設けられて係止部８３２が形成されている。そして、この係止部８３２に釘抜き具９５を引っ掛けて、引き出すことができようになっている。
【００３２】
次に、この段差矯正治具８を使用してユニット建物Ｈの段差を矯正する方法および作用について説明する。
工場で１階の建物ユニット１、２階の建物ユニット、屋根ユニット３等を製造し、これ等を施工現場に運搬する。
【００３３】
施工現場では、予め設けられている基礎９９の上に９個の１階の建物ユニット１を据えて、１階を形成し、この１階の建物ユニット１の上に９個の２階の建物ユニット２を据え付けて２階を形成する。
このとき、図１のＡ部分の２階の建物ユニット２が屋外方向にずれて据え付けられて、この２階の建物ユニット２の床パネル６の屋外面に取り付けられている壁パネル７４の壁面材７４が屋外側に突出していることが判明した。
そこで、この床パネル６の段差を矯正する。
【００３４】
この床パネル６の段差矯正方法を詳細に説明する。
即ち、先ず、屋外方向にずれている建物ユニット２の床パネル６の下枠６１２の屋内側面に、即ち、この下枠６１２を屋内側から見ると、後退している下枠６１２に、段差矯正治具８のプレート８１の裏面を当接させ、プレート８１に設けられている通孔８２からこの下枠６１２にビス９を螺入して段差矯正治具８を取り付ける。
【００３５】
このようにビス９をプレート８１に設けられている通孔８２から床パネル６の下枠６１２に螺入すると、段差矯正治具８のプレート８１に設けられている通孔８２は、ビス９のネジ部９２が通過するがビス９の頭９１が通過しない大きさであるので、ビス９の頭９１がプレート８１を表面側から押して、段差矯正治具８が下枠６１２に強固に取り付けられる。
その後に、係止部８３２にバール等の釘抜き具９５を係止し、１階の建物ユニット１の上端に存在する壁パネル５の上枠５１を支点にして釘抜き具９５を回動させて、段差矯正治具８を引き出す。
【００３６】
このように釘抜き具９５を使用すると、後退している２階の建物ユニット２と、支点としている反対側の１階の建物ユニット１との間に偶力が働き、相対的に段差矯正治具８が取り付けられている２階の建物ユニット２が段差矯正治具８と共に前進し、反対側の１階の建物ユニット１が後退する。
しかし、１階の建物ユニット１は基礎に固定されているので、結局、２階の建物ユニット２が屋内方向に前進、即ち、屋外方向から見ると、後退して、この２階の建物ユニット２に取り付けられている外壁面材７５の段差が解消される。
このようにして、１階の建物ユニット１と２階の建物ユニット２との段差を簡単に矯正することができる。
【００３７】
このように、段差矯正治具８を取り付ける場所が木製の枠６１２であるので、２階の建物ユニット２に段差矯正治具８を取り付け易く矯正し易い。
しかも、ずれた位置に据え付けられることの多い木質系の建物ユニット２の上下方向の段差を容易に矯正することができ、極めて効果的である。
次に、２階の建物ユニット２の上に屋根ユニット３を取り付けて屋根を形成し、種々な仕上げを行うと、ユニット建物Ｈが完成する。
【００３８】
このようにして完成したユニット建物Ｈでは、屋外側に突出した状態に取り付けられた２階の建物ユニット２のずれが矯正されているので、外壁材５５、７５が略１平面状になっていて、極めて美麗な建物である。
段差を矯正した後には、この段差矯正治具８を取り外してもよいし、そのままにしていてもよい。
すると、この取り外したときのビス９を螺入した孔が生成されるし、そのままにすると段差矯正治具８が残るが、この孔や段差矯正治具８は屋内側にあるので、外側から見えず、外観が悪くならない。
【００３９】
以上、この発明の実施の形態を実施例及び図面により詳述したが、具体的の構成は実施例に限られるものでなく、この発明の要旨を逸脱しない範囲の変更等があっても、この発明に含まれる。
例えば、実施例では、木質のユニット建物について説明したが、鉄骨系のユニット建物でもよい。
【００４０】
また、２階の建物ユトニット２の床パネル６には、縦パネル６１と横パネル６２が使用されているが、この縦パネル６１と横パネル６２が、１階の建物ユニット１の床パネルと同様に、縦枠と横枠とからなるものでもよい。
また、建物ユニット１、２が床パネル４、６の上に壁パネル５、７が取り付けられているが、床パネル４、６の横に壁パネル５、７が取り付けられた建物ユニットでもよく、この際には、段差矯正治具８を壁パネル５、７の下枠５１、７１に取り付ければよい。
【００４１】
また、この実施例では、２階の建物ユニット２が屋内側から見て後退した例を示したが、２階の建物ユニット２が屋内側から見て前進している場合でも段差を矯正することができる。その場合には、段差矯正治具８を１階の建物ユニット１の壁パネル５の上枠５１に取り付けて、段差矯正治具８の係止部８３２にバール等の釘抜き具９５を係止し、２階の建物ユニット２の床パネル６の下枠６１２、６２２を支点にして具気抜き具９５を街道させて、段差矯正治具８を引き出せればよい。
【００４２】
【発明の効果】
以上説明してきたように、請求項１記載の発明は、裏面が平滑なプレートと、このプレートに設けられた通孔と、このプレートの表面に設けられた突起とからなり、前記通孔は、ビスのネジ部は通過するが、ビスの頭部が通過しない大きさであり、前記突起には、先端部に径の大きな係止部が設けられ、釘抜き具がこの係止部に係止可能になされているユニット建物の段差矯正治具であるから、この段差矯正治具を使用すると、ユニット建物の上下方向の段差を簡単に矯正することができる。
【００４３】
請求項２記載の発明は、下階の建物ユニットと上階の建物ユニットとの間に存在する段差を矯正するユニット建物の段差矯正方法であって、下階の建物ユニットと上階の建物ユニットのどちらか後退している側の建物ユニットの部材に、請求項１記載の段差矯正治具のプレートの裏面を当接させ、プレートに設けられている通孔から建物ユニットの部材にビスを螺入して段差矯正治具を取り付けた後に、表面に設けられている突起の係止部に釘抜き具を係止し、反対側の建物ユニットを支点にして釘抜き具を回動させて、段差矯正治具を引き出して建物ユニットを矯正する段差矯正方法であるから、ユニット建物の上下方向の段差を簡単に矯正することができる。
【００４４】
請求項３記載の発明は、請求項２記載の発明に係り、前記建物ユニットが、木製の枠に床面材を取り付けた床パネルと、この床パネルの周囲に立設された木製の枠に壁面材を取り付けた壁パネルとからなるものであり、後退している側の建物ユニットの部材が、建物ユニットの上側縁または下側縁に存在する床パネルまたは壁パネルの枠であるから、段差矯正治具を取り付ける場所が木製の枠であり、建物ユニットに段差矯正治具を取り付け易く矯正し易い。
しかも、ずれた位置に据え付けられることの多い木質系の建物ユニットの上下方向の段差を容易に矯正することができ、極めて効果的である。
【図面の簡単な説明】
【図１】本発明の一実施例を示すもので、ユニット建物を示す斜視図である。
【図２】１階の建物ユニットを示す一部切欠斜視図である。
【図３】２階の建物ユニットを示す斜視図である。
【図４】裏側から見た段差矯正治具を示す斜視図である。
【図５】ビスを示す正面図である。
【図６】（イ）は図１のＡ部分の床パネルに段差矯正治具を取り付けた状態の主要部を示す側面図、（ロ）はユニット建物を矯正している状態の主要部を示す側面図である。
【符号の説明】
Ｈ                ユニット建物
１                １階の建物ユニット
２                ２階の建物ユニット
４                １階床パネル
５                １階壁パネル
５１              上枠
５２              下枠
６                ２階床パネル
６１              縦パネル
６１１            上枠
６１２            下枠
６１３            スペーサー
６２              横パネル
７                ２階壁パネル
８                段差矯正治具
８１              プレート
８２              通孔
８３              突起
８３１            根元
８３２            係止部
【図１】
2004339834.tif 000003
【図２】
2004339834.tif 000004
【図３】
2004339834.tif 000005
【図４】
2004339834.tif 000006
【図５】
2004339834.tif 000007
【図６】
2004339834.tif 000008